(57)【要約】【課題】偏光軸の方向にバラツキがあって不安定なものでも、液晶表示装置の偏光板として利用可能とする。【解決手段】液晶表示部１の表面側に、その６視認性を改善する偏光板を取り付けるための取付構造であって、偏光板６は、その上下及び左右の最大寸法が液晶表示部の上下及び左右の寸法と略同一であって４辺が円弧状を有する略樽型に形成され、その左右辺に、偏光板の隅部から所定の位置に設けられて外方に突出するそれぞれ１対の係合部９が設けられる。液晶表示部を裏面側から保持する保持枠体４，５は、その隅部に設けられて偏光板６の隅部を位置決めする無傾斜位置決め部１１と、その隅部から所定の位置に設けられて、係合部９に係合して偏光板６を所定の傾斜位置で位置決めする傾斜位置決め部１２とを有する。【選択図】図１
2010145822.tif 000002
【特許請求の範囲】
【請求項１】
液晶表示部の表面側に、前記液晶表示部の視認性を改善する偏光板を取り付けるための取付構造であって、
前記偏光板は、その上下及び左右の最大寸法が前記液晶表示部の上下及び左右の寸法と略同一であって、４辺が円弧状を有する略樽型に形成されており、
前記偏光板の左右辺、あるいは上下辺に、前記偏光板の隅部から所定の位置に設けられて外方に突出するそれぞれ１対の係合部と、
前記液晶表示部を前記液晶表示部の裏面側から保持する保持枠体と、
前記保持枠体の隅部に設けられて前記偏光板の隅部を位置決めする、複数の無傾斜位置決め部と、
前記保持枠体の隅部から所定の位置に設けられ、前記偏光板を前記液晶表示部に対し左右に傾斜させたときに、所定の傾斜位置で前記係合部を位置決めする、それぞれ一対の傾斜位置決め部と、
を有することを特徴とする偏光板の取付構造。  
【請求項２】
前記偏光板を前記液晶表示部に対し左右に傾斜させたときに、前記係合部が前記傾斜位置決め部によって位置決めされる傾斜位置において、前記偏光板の前記係合部が設けられていない辺の一部が前記保持枠体の内側面部に当接するように構成されていることを特徴とする請求項１に記載の偏光板の取付構造。
【請求項３】
前記所定の傾斜位置は、前記偏光板が無傾斜位置から、左右に３〜５°回転する位置であることを特徴とする請求項１ないし２記載の偏光板の取付構造。
【発明の詳細な説明】
【技術分野】
【０００１】
本発明は、液晶表示装置の視認性を改善するために、該液晶表示装置の前面に載置する偏光板の取付構造に関する。
【背景技術】
【０００２】
車載用の液晶表示装置では、運転者等が偏光機能を有するサングラスを装着して視認する場合があることから、該液晶表示装置の視認性を改善するために、該液晶表示装置の前面に偏光板を載置することが行われている。（参考文献１）
【０００３】
つまり、直線偏光の特性を有する液晶表示装置を、同じ直線偏光を持つ偏光サングラスで見た場合、首をかしげた時に、互いの偏光軸角度が直交に近い状態になると、表示画面の視認が困難になるが、該液晶表示装置の前面に複屈折の偏光特性を有する透明の偏光板を装着することにより、偏光サングラスの使用時でも視認性を確保することができる。
【０００４】
その際に使用される偏光板は、ＰＣ（ポリカーボネート）などの樹脂原料を使用して、押し出し成型等によって大型の偏光板原板を作製し、次に、該原板を使用して大型の偏光板を一旦、作製し、最終的に、それを液晶表示装置に適合するサイズに切り出すことで、作製されている。
【０００５】
しかしながら、この原板成型工程においては、その中央部と周縁部とでは偏光軸の方向性にバラツキが生じてしまい、該原板は外側に行くほど偏光軸の歪みが大きくなってしまう。
したがって、この原板の外側の部分は、偏光軸の方向が不安定であるので、前記した液晶表示装置の偏光板としては切り出すことができない領域となるため、製造工程での歩留まりが悪くなっている。
【０００６】
【特許文献１】特開平３−１２６９８１号公報
【発明の開示】
【発明が解決しようとする課題】
【０００７】
本発明は、このような従来技術の実情に鑑みてなされたもので、偏光軸の方向が多少不安定なものでも、液晶表示装置の偏光板として利用可能とすることにより、製造工程での歩留まりを向上させるものである。
【課題を解決するための手段】
【０００８】
本発明は、液晶表示部の表面側に、前記液晶表示部の視認性を改善する偏光板を取り付けるための取付構造であって、前記偏光板は、その上下及び左右の最大寸法が前記液晶表示部の上下及び左右の寸法と略同一であって４辺が円弧状を有する略樽型に形成されており、前記偏光板の左右辺、あるいは上下辺に、前記偏光板の隅部から所定の位置に設けられて外方に突出するそれぞれ１対の係合部と、前記液晶表示部を前記液晶表示部の裏面側から保持する保持枠体と、前記保持枠体の隅部に設けられて前記偏光板の隅部を位置決めする、複数の無傾斜位置決め部と、前記保持枠体の隅部から所定の位置に設けられ、前記偏光板を前記液晶表示部に対し左右に傾斜させたときに、所定の傾斜位置で前記係合部を位置決めする、それぞれ一対の傾斜位置決め部と、を有することを特徴とする。
【０００９】
また、本発明は、前記偏光板を前記液晶表示部に対し左右に傾斜させたときに、前記係合部が前記傾斜位置決め部によって位置決めされる傾斜位置において、前記偏光板の前記係合部が設けられていない辺の一部が前記保持枠体の内側面部に当接するように構成されていることを特徴とする。
【００１０】
また、本発明は、前記所定の傾斜位置は、前記偏光板が無傾斜位置から、左右に３〜５°回転する位置であることを特徴とする。
【発明の効果】
【００１１】
本発明は、液晶表示部の前面に載置する偏光板を、簡便な構成により、該液晶表示部に対し左右に所定角度傾斜して取り付けることができるようにすることで、多少偏光軸がずれた偏光板であっても、該傾斜位置に取り付けることで、視認性を改善する機能に支障のない偏光板として使用することを可能とし、以て偏光板の製造工程での歩留まり率を向上させることができる。
【発明を実施するための最良の形態】
【００１２】
以下、本発明の実施の形態について、図面に基づいて説明する。
図１〜図９は、いずれも本発明の第１の実施の形態に係る説明図であり、図１は偏光板が載置された液晶表示装置の分解斜視図、図２は偏光板の正面図、図３は液晶表示部を支持する保持枠体の正面図、図４は偏光板が無傾斜位置で保持枠体上に保持されている状態での正面図、図５は偏光板が無傾斜位置で保持枠体上に保持されている状態での隅部の斜視図、図６は偏光板が右傾斜位置で保持枠体上に保持されている状態での正面図、図７は偏光板が右傾斜位置で保持枠体上に保持されている状態での傾斜位置決め部での斜視図、図８は偏光板が左傾斜位置で保持枠体上に保持されている状態での正面図、図９は偏光板が左傾斜位置で保持枠体上に保持されている状態での傾斜位置決め部での斜視図、図１０は、偏光軸のバラツキ状態に対応した傾斜配置の説明図、である。
【００１３】
本発明の第１の実施の形態における液晶表示装置を、図１に、分解図で示す。
画像表示のための液晶表示部１は、液晶表示素子２が液晶支持枠３に支持されて、形成されている。
該液晶表示部１は、第１保持枠体４及び第２保持枠体５によって保持されて、図示しないディスプレイ装置の筐体に取り付けられる。
偏光板６は、液晶表示部１の前面に載置され、前記第１保持枠体４及び第２保持枠体５によって、液晶表示部１に対し位置決めされる。つまり、前記第１保持枠体４は、偏光板６の一部を液晶表示部１に対し位置決めすると共に、液晶支持枠３を支持し、前記第２保持枠体５は、偏光板６の一部を液晶表示部１に対し位置決めすると共に、前記第１保持枠体４を支持して、全体を、図示しないディスプレイ装置の筐体に取り付けている。
また、カバー枠体７は、液晶表示部１に位置決めされた偏光板６を、第１保持枠体４とともに、前記第２保持枠体５との間でサンドウィッチ状に挟持するものであり、これにより偏光板６と液晶表示部１とが位置ずれがないように保持される。
【００１４】
図１０の中央に示した、偏光板原板の中央部が使用されて作製された、偏光軸（ｐ）の方向性に比較的ずれがない偏光板を使用する場合には、偏光板６の傾き調整をする必要はない。
一方、図１０の上部、及び下部に示したように、偏光板原板の周縁部が使用されて作製され偏光板は、その偏光軸（ｐ）が、切り出された四角形の辺に対し平行となっていない。
しかしながらこのような偏光板であっても、図１０の矢印に示す、形成された偏光軸の傾きに応じて右傾き（α）、あるいは左傾き（β）のように、前記第１保持枠体４及び第２保持枠体５に対し偏光板６を載置する際の傾き調整をすることで、視認性を改善する機能に支障のない偏光板として使用することができる。
そこで、本第１の実施の形態では、偏光板６を液晶表示部１に対し、このような傾斜状態、あるいは無傾斜状態に位置決めする、以下に記載する構成が採用されている。
【００１５】
偏光板６の平面形状を、図２に示す。
偏光板６は、４辺が緩やかな円弧状を有する略樽型に形成されており、その上下及び左右の最大幅は、液晶表示部２の上下及び左右の幅と略同一に形成されている。
また、該偏光板６は、その隅部に位置決めのための切欠部８ａ〜８ｃが設けられており、また、図２の正面から見て右辺には、該隅部から所定の位置に一対の係合部９ａ、９ｂと、左辺には、同じく該隅部から所定の位置に一対の係合部９ｃ、９ｄが、それぞれ外方に突出するように設けられている。これらの係合部９ａ、９ｂ、９ｃ、９ｄは、外方に突出する突出量が、該偏光板６の左右の最大幅の位置よりも突出することのない幅（ｘ）を以て設定されている。
【００１６】
液晶表示部１は、図１に示す第１保持枠体４の側面から挿入され、その液晶支持枠３が第１保持枠体４の上辺及び下辺を折り返した保持片１０ａ及び１０ｂにより保持されることによって、該第１保持枠体４に収納、保持される。そして、このように液晶表示部１が収納された第１保持枠体４が、第２保持枠体５内に嵌め込まれ、液晶表示部１と、保持枠体（第１保持枠体４及び第２保持枠体５）とが一体となったユニットが形成される。
【００１７】
第１保持枠体４及び第２保持枠体５が組み合わされて、該保持枠体が形成されている状態を、正面図により、図３に示す（つまり、上記したユニットは、この該保持枠体内に液晶表示部１が収納されたものである）。
第１保持枠体４の隅部には、図３に示すように、偏光板６の隅部を位置決めする無傾斜位置決め部１１ａ、１１ｂ、１１ｃが設けられている。これら無傾斜位置決め部１１ａ、１１ｂ、１１ｃは、保持片１０ａ及び１０ｂと同様に、第１保持枠体４の一部を折り返して形成したものであるが、その高さ（図３の紙面に対し垂直方向の高さ）は、保持片１０ａ及び１０ｂの高さよりも、偏光板６の厚み分、高く形成されている。
これら無傾斜位置決め部１１ａ、１１ｂ、１１ｃは、偏光板６を液晶表示部１上に無傾斜状態で載置した場合に、該偏光板６の切欠部８ａ〜８ｃにそれぞれ嵌合する位置に設けられ、その形状は偏光板６の該切欠部８ａ〜８ｃに嵌合する形状に構成される。
【００１８】
さらに、図３に示す保持枠体の左枠体２０ａ及右枠体２０ｂには、前面側（図３の紙面に対し手前側）に、図６及び図８に示す様なそれぞれ一対の傾斜位置決め部１２ａ、１２ｂ及び１２ｃ、１２ｄが、該左右の枠体の上辺部を切り欠いてそれぞれ設けられている。これら、傾斜位置決め部１２ａ、１２ｂ、１２ｃ、１２ｄは、図１及び図７、９に示されている。つまり、図３から見て（図３には図示されていないが）、右枠体上方に１２ａ、同下方に１２ｂ、左枠体下方に１２ｃ、同上方に１２ｄが形成されている。
該傾斜位置決め部１２ａ、１２ｂ、１２ｃ、１２ｄは、偏光板６を液晶表示部１上に傾斜状態で載置する場合に、偏光板６の係合部９ａ、９ｂ、９ｃ、９ｄにそれぞれ嵌合する位置に設けられる。つまり、偏光板６を右方向に所定角度回転させて傾斜させる場合には、係合部９ａ、９ｃを、それぞれ傾斜位置決め部１２ａ、１２ｃに嵌合させて位置決めし（図６、７）、左方向に所定角度回転させて傾斜させる場合には、係合部９ｂ、９ｄをそれぞれ傾斜位置決め部１２ｂ、１２ｄに嵌合させて位置決めする（図８、９）。
【００１９】
このように回転させる前記所定角度（図１０中に矢印で記載された角度α、β）については、作製される偏光板６の偏光軸のバラツキ程度にもよるが、３〜５°の範囲に設定すると、例えば、偏光板原板の大きさが１３８０ｍｍ×９１５ｍｍのものから、従来では３６枚の偏光板が作製されて使用されていたのに対し、同一サイズで４２枚作製したものまで使用することができるようになり、最適である。  
【００２０】
次に、偏光板６を液晶表示部１に対し位置決めする工程について、図４ないし図９を用いて説明する。
偏光板原板の中央部が切り出されて作製された、偏光軸に比較的ずれがない偏光板を使用する場合には、偏光板６の傾き調整をする必要がないので、図４及び図５に示すように、偏光板６を、液晶表示部１に対し、無傾斜状態で位置決めする。
無傾斜状態で位置決めする場合、上記したように組み立てられたユニットの表示面側に偏光板６を保持枠体の下枠体２０ｃ及び上枠体２０ｄに対し平行に載置する。
該偏光板６は、保持片１０ａ、１０ｂ上に載置されるが、保持枠体の隅部には、保持片１０ａ、１０ｂよりも該偏光板６の厚み分、上方位置に突出して無傾斜位置決め部１１ａ、１１ｂ、１１ｃが設けられているので、偏光板６の隅部に形成されている切欠部８ａ、８ｂ、８ｃを、該無傾斜位置決め部１１ａ、１１ｂ、１１ｃに嵌合させる。
そのように嵌合されている状態を、図５に斜視図で示す。
このように嵌合させることで、偏光板６の無傾斜状態での位置決めをすることができる。
【００２１】
偏光板原板の周縁部が切り出されて作製されて偏光軸にバラツキが生じている偏光板６は、図６〜図９に示すように、液晶表示部１に対し傾斜状態で位置決めする。
先ず、右に所定角度（３〜５°）回転させた傾斜角度で保持する場合には、図６に示すように、偏光板６の右上方の係合部９ａ、及び左下方の係合部９ｃを、保持枠体の右枠体２０ａに設けられた傾斜位置決め部１２ａ、及び左枠体２０ｂに設けられた傾斜位置決め部１２ｃにそれぞれ嵌合させると、所定の傾斜角度で位置決め保持することができる。
そのように位置決め保持された状態を、図７に斜視図で示す。
【００２２】
また、左に所定角度（３〜５°）回転させた傾斜角度で保持する場合には、図８に示すように、偏光板６の右下方の係合部９ｂ、及び左上方の係合部９ｄを、右枠体２０ａに設けられた傾斜位置決め部１２ｂ、及び左枠体２０ｂに設けられた傾斜位置決め部１２ｄにそれぞれ嵌合させると、所定の傾斜角度で位置決め保持することができる。
そのように位置決め保持された状態を、図９に斜視図で示す。
【００２３】
また、偏光板を右回転させて載置する際に、図６に示すように、偏光板６の右下辺を下枠体２０ｃに当接させ、左上辺を上枠体２０ｄに当接させることで位置合わせできるように、偏光板６の大きさ及び保持枠体の内寸を予め設定すると、位置合わせ作業が容易になる。左回転させて載置する場合も同様に、図８に示すように、偏光板６の左下辺を下枠体２０ｃに当接させ、右上辺を上枠体２０ｄに当接させると位置合わせができるように、大きさ及び内寸を設定する。
このように係合部９ａ，ｂ，ｃ，ｄが設けられていない辺を利用して傾斜位置の位置合わせした後に、該係合部９ａ，９ｃあるいは９ｂ，９ｄをそれぞれ対応する傾斜位置決め部１２ａ，ｂ，ｃ，ｄに嵌合させると、上記した位置決め保持の作業がより容易となる。
【００２４】
このように、左傾斜させるか、右傾斜させるか、あるいは傾斜させる必要がないのかは、偏光板原板からの切り出された位置によってほぼ予測されるので、そのように予測して位置決めを行った上で、最終的な視認検査をしても良いが、偏光板６を載置する際に視認性の効果を確認しつつ、傾き方向を位置決めすることもできる。
【００２５】
次に、本発明の他の実施の形態について説明する。
上記した第１の実施の形態によれば、切欠部８が偏光板６の３箇所の隅部に設けられているが、位置決めするには複数個設ければよいので、３箇所に限定する必要はなく、隅部全部に設けることも、２箇所のみに設けることもできる。
また、該切欠部８の形状も、無傾斜位置決め部１１の形状に対応して設計できるものであるので、切欠部８を設けることなく、無傾斜位置決め部１１を偏光板６の隅部の形状に合わせることにより、偏光板の隅部の位置決めをすることができる。
【００２６】
さらに、傾斜位置決め部１２の位置も、保持枠体の左右の枠体２０ａ，２０ｂではなく、上下の枠体２０ｃ、２０ｄに設けることもできる。その場合には、偏光板６に設けられる係合部は、それら上下の枠体に設けられた傾斜位置決め部の位置に対応して、偏光板６の上辺及び下辺に設けられる。
また、上記した第１の実施の形態によれば、左右の枠体２０ａ、２０ｂには、それぞれ２個の傾斜位置決め部１２を設けることで、傾斜角度を１箇所とした位置決めをしているが、これに限ることなく３個設けることで、傾斜角度を２箇所とした位置決めをすることもできる。
このようにすると、偏光軸のバラツキに応じて傾斜角度の選択ができるので、偏光板６の機能をより良く発揮することが可能となる。
【００２７】
また、上記した第１の実施の形態によれば、保持枠体が第１保持枠体４と第２保持枠体５とから構成されているが、これに限ることなく、１つにした保持枠体にすることで、構成をより簡便にすることもできる。  
【図面の簡単な説明】
【００２８】
【図１】本発明の第１実施の形態での偏光板が載置された液晶表示装置の分解斜視図。
【図２】本発明の第１の実施の形態での、偏光板の正面図。
【図３】本発明の第１の実施の形態での、液晶表示部を支持する保持枠体の正面図。
【図４】本発明の第１の実施の形態での、偏光板が無傾斜位置で保持枠体上に保持されている状態での正面図。
【図５】本発明の第１の実施の形態での、偏光板が無傾斜位置で保持枠体上に保持されている状態での隅部の拡大斜視図。
【図６】本発明の第１の実施の形態での、偏光板が右傾斜位置で保持枠体上に保持されている状態での正面図。
【図７】本発明の第１の実施の形態での、偏光板が右傾斜位置で保持枠体上に保持されている状態での傾斜位置決め部での拡大斜視図。
【図８】本発明の第１の実施の形態での、偏光板が左傾斜位置で保持枠体上に保持されている状態での正面図。
【図９】本発明の第１の実施の形態での、偏光板が左傾斜位置で保持枠体上に保持されている状態での傾斜位置決め部での拡大斜視図。
【図１０】本発明の第１の実施の形態での、偏光軸のバラツキ状態に対応して、偏光板を傾斜配置する説明図。
【符号の説明】
【００２９】
１    液晶表示部
２    液晶素子
３    液晶支持枠
４    第１保持枠体
５    第２保持枠体
６    偏光板  
７    カバー枠体
８ａ，ｂ，ｃ  切欠部
９ａ，ｂ，ｃ，ｄ  係合部
１０ａ，ｂ  保持片
１１ａ，ｂ，ｃ  無傾斜位置決め部
１２ａ，ｂ，ｃ，ｄ  傾斜位置決め部
２０ａ，ｂ，ｃ，ｄ  枠体
【図１】
2010145822.tif 000003
【図２】
2010145822.tif 000004
【図３】
2010145822.tif 000005
【図４】
2010145822.tif 000006
【図５】
2010145822.tif 000007
【図６】
2010145822.tif 000008
【図７】
2010145822.tif 000009
【図８】
2010145822.tif 000010
【図９】
2010145822.tif 000011
【図１０】
2010145822.tif 000012